(57)【要約】      （修正有）【課題】柄の下端が地面に接するような、サトウキビの低い部分の下葉でも確実に脱葉可能な脱葉鎌を提供する。【解決手段】サトウキビの立っている茎８を挟むような一対の脱葉刃１、２から成る二股状ブレードＣの基端側が柄Ｈの下端側に取付け固定されている。二股状ブレードＣの基端側を柄Ｈに対し支軸を中心に回動可能に支持することによって、二股状ブレードを１８０度反転させて刃先を上向きにし、又は二股状ブレードを９０度回動させて柄と同じ向きに揃えることが可能であり、かつそれぞれの位置で、二股状ブレードが回動しないようにロックする固定手段を有している。【選択図】図１
0003157466.tif 000002
【実用新案登録請求の範囲】
【請求項１】
サトウキビの立っている茎を挟むような一対の脱葉刃を有する二股状ブレードの基端側が柄の下端側に取付け固定されており、しかも一対の脱葉刃の刃先が下向きになっていることを特徴とする脱葉鎌。
【請求項２】
サトウキビの立っている茎を挟むような一対の脱葉刃を有する二股状ブレードの基端側が柄の下端側に取付け支持可能で、しかも一対の脱葉刃の刃先が使用時に下向きになっている脱葉鎌において、
前記の二股状ブレードの基端側を前記柄に対し支軸を中心に回動可能に支持することによって、二股状ブレードを１８０反転させて刃先を上向きにし、又は二股状ブレードを９０度回動させて柄と同じ向きに揃えることが可能であり、かつそれぞれの位置で、二股状ブレードが回動しないようにロックする固定手段を有していることを特徴とする脱葉鎌。
【請求項３】
サトウキビの立っている茎を挟むような一対の脱葉刃を有する二股状ブレードの基端側が柄の下端側に取付け支持可能で、しかも一対の脱葉刃の刃先が使用時に下向きになっている脱葉鎌において、
前記の脱葉刃の基端側を前記柄に対し着脱することによって、二股状ブレードを１８０反転させて刃先を上向きにし、又は二股状ブレードを９０度回動させて柄と同じ向きに揃えることが可能であり、かつそれぞれの位置で、二股状ブレードが安定するようにロックする固定手段を有していることを特徴とする脱葉鎌。
【請求項４】
前記の固定手段は、柄の下端側と二股状ブレードの取付け鈑部に留め具の挿入孔を開けて、それぞれの位置で、留め具を挿入することによって、二股状ブレードを安定よく固定する構造であることを特徴とする請求項２または請求項３に記載の脱葉鎌。
【考案の詳細な説明】
【技術分野】
【０００１】
本考案は、サトウキビの生育過程で下葉を除去するのに使用する脱葉鎌に関する。
【背景技術】
【０００２】
実公平３-27385号公報に記載のように、凹状に湾曲した一対の脱葉刃の基端同士を握り柄の上端に取付け固定してなる脱葉鎌が提案されている。
【先行技術文献】
【特許文献】
【０００３】
【特許文献１】実公平３-27385号公報
【考案の概要】
【考案が解決しようとする課題】
【０００４】
特許文献１記載の脱葉鎌の使用に当たっては、柄の下側を手で握って上端の一対の脱葉刃の間にサトウキビの茎が入るように位置合わせしてから、柄を下側に引き下げると、茎から斜め上向きに立っている枯れ葉や下葉の根元側が下向きに押し下げられるため、枯れ葉や下葉が茎から剥離されたり、枯れ葉や下葉の根元が切断される結果、脱葉される。
充分伸びて背丈の高いサトウキビの場合は、そのような作業で問題はないが、生育初期の背丈の低い茎の場合は、柄を引き下ろそうとすると、柄の下端が地面に当たってしまって、それ以上、脱葉刃を下降させることが不可能となる。従って、背丈の高いサトウキビの場合でも、柄が地面に当たると、それ以上、脱葉鎌が下降不能となるので、茎の下側は、脱葉不可能となる。
【０００５】
特に、脱葉鎌の柄の長さよりサトウキビの背丈が低い場合は、柄が邪魔になって、最初から使用不可能となる。その結果、せっかくの栄養分が下葉の方に奪われて、茎の成長に悪影響を来すという問題が避けられない。
本考案の技術的課題は、このような問題に着目し、在来のサトウキビ脱葉鎌における柄の下端が地面に接するような、サトウキビの低い部分の下葉でも確実に脱葉可能な脱葉鎌を実現することにある。
【課題を解決するための手段】
【０００６】
請求項１は、サトウキビの立っている茎を挟むような一対の脱葉刃を有する二股状ブレードの基端側が柄の下端側に取付け固定されており、しかも一対の脱葉刃の刃先が下向きになっていることを特徴とする脱葉鎌である。
このように、サトウキビの立っている茎を挟むような一対の脱葉刃を有する二股状ブレードの基端側が柄の下端側に取付け固定されているため、柄の下端より下側に障害物が存在せず、一対の脱葉刃の間にサトウキビの茎を挟んだ状態で、柄を下向きに押し下げるような操作をするだけで、一対の脱葉刃の下向きの刃先によって、茎の地面寄りの下端まで楽に脱葉できる。従って、生育初期の背丈の低い茎の脱葉に好適である。
【０００７】
請求項２は、サトウキビの立っている茎を挟むような一対の脱葉刃を有する二股状ブレードの基端側が柄の下端側に取付け支持可能で、しかも一対の脱葉刃の刃先が使用時に下向きになっている脱葉鎌において、
前記の二股状ブレードの基端側を前記柄に対し支軸を中心に回動可能に支持することによって、二股状ブレードを１８０反転させて刃先を上向きにし、又は二股状ブレードを９０度回動させて柄と同じ向きに揃えることが可能であり、かつそれぞれの位置で、二股状ブレードが回動しないようにロックする固定手段を有していることを特徴とする脱葉鎌である。
【０００８】
このように、サトウキビの立っている茎を挟むような一対の脱葉刃を有する二股状ブレードの基端側が柄の下端側に取付け支持可能で、しかも一対の脱葉刃の刃先が使用時に下向きになっているので、請求項１の場合と同様に、柄の押し下げ操作によって、茎の地面寄りの下端まで楽に脱葉でき、加えて、二股状ブレードの基端側を前記柄に対し支軸を中心に回動可能に支持してあるため、二股状ブレードを１８０反転させて刃先を上向きにすることができる。その結果、上下逆さにして、柄を下向きにして使用すると、在来の脱葉鎌と全く同様に、柄の上端に脱葉刃が付いた状態となるので、茎の高い位置の脱葉が可能となる。
また、二股状ブレードを９０度回動させて柄と同じ向きに揃えると一直線状になるので、柄を水平に持てば、林立したサトウキビの奥まった位置まで脱葉刃を伸ばして、奥まった位置のサトウキビを脱葉することもできる。しかも、柄が下降操作の邪魔にならないので、生育初期の低い茎の地面近くまで脱葉できる。
さらに、二股状ブレードが回動しないように各位置でロックする固定手段を有しているので、作業性が良い。
【０００９】
請求項３は、サトウキビの立っている茎を挟むような一対の脱葉刃を有する二股状ブレードの基端側が柄の下端側に取付け支持可能で、しかも一対の脱葉刃の刃先が使用時に下向きになっている脱葉鎌において、
前記の脱葉刃の基端側を前記柄に対し着脱することによって、二股状ブレードを１８０反転させて刃先を上向きにし、又は二股状ブレードを９０度回動させて柄と同じ向きに揃えることが可能であり、かつそれぞれの位置で、二股状ブレードが安定するようにロックする固定手段を有していることを特徴とする脱葉鎌である。
【００１０】
このように、サトウキビの立っている茎を挟むような一対の脱葉刃を有する二股状ブレードの基端側が柄の下端側に取付け支持可能で、しかも一対の脱葉刃の刃先が使用時に下向きになっているので、請求項１の場合と同様に、柄の押し下げ操作によって、茎の地面寄りの下端まで楽に脱葉でき、加えて、二股状ブレードの基端側を前記柄に対し着脱することによって、二股状ブレードを１８０反転させて刃先を上向きにすることができる。その結果、上下逆さにして、柄を下向きにして使用すると、在来の脱葉鎌と全く同様に、柄の上端に脱葉刃が付いた状態となるので、茎の高い位置の脱葉が可能となる。
また、二股状ブレードを９０度回動させて柄と同じ向きに揃えると一直線状になるので、柄を水平に持てば、林立したサトウキビの奥まった位置まで脱葉刃を伸ばして、奥まった位置のサトウキビを脱葉することもできる。しかも、柄が下降操作の邪魔にならないので、生育初期の低い茎の地面近くまで脱葉できる。
さらに、二股状ブレードが安定するように各位置でロックする固定手段を有しているので、作業がし易い。
【００１１】
請求項４は、前記の固定手段は、柄の下端側と二股状ブレードの取付け鈑部に留め具の挿入孔を開けて、それぞれの位置で、留め具を挿入することによって、二股状ブレードを安定よく固定する構造であることを特徴とする請求項２または請求項３に記載の脱葉鎌である。
このように、請求項２または請求項３に記載の固定手段は、柄の下端側と二股状ブレードの取付け鈑部に留め具の挿入孔を開けて、それぞれの位置で、留め具を挿入することによって、二股状ブレードを安定よく固定する構造であるため、脱葉作業時に二股状ブレードがガタついたりして、円滑な作業を阻害するような恐れはない。
【考案の効果】
【００１２】
請求項１のように、サトウキビの立っている茎を挟むような一対の脱葉刃を有する二股状ブレードの基端側が柄の下端側に取付け固定されているため、柄の下端より下側に障害物が存在せず、一対の脱葉刃の間にサトウキビの茎を挟んだ状態で、柄を下向きに押し下げるような操作をするだけで、一対の脱葉刃の下向きの刃先によって、茎の地面寄りの下端まで楽に脱葉できる。従って、生育初期の背丈の低い茎の脱葉に好適である。
【００１３】
請求項２のように、サトウキビの立っている茎を挟むような一対の脱葉刃を有する二股状ブレードの基端側が柄の下端側に取付け支持可能で、しかも一対の脱葉刃の刃先が使用時に下向きになっているので、請求項１の場合と同様に、柄の押し下げ操作によって、茎の地面寄りの下端まで楽に脱葉でき、加えて、二股状ブレードの基端側を前記柄に対し支軸を中心に回動可能に支持してあるため、二股状ブレードを１８０反転させて刃先を上向きにすることができる。その結果、上下逆さにして、柄を下向きにして使用すると、在来の脱葉鎌と全く同様に、柄の上端に脱葉刃が付いた状態となるので、茎の高い位置の脱葉が可能となる。
また、二股状ブレードを９０度回動させて柄と同じ向きに揃えると一直線状になるので、柄を水平に持てば、林立したサトウキビの奥まった位置まで脱葉刃を伸ばして、奥まった位置のサトウキビを脱葉することもできる。しかも、柄が下降操作の邪魔にならないので、生育初期の低い茎の地面近くまで脱葉できる。
さらに、二股状ブレードが回動しないように各位置でロックする固定手段を有しているので、作業性が良い。
【００１４】
請求項３のように、サトウキビの立っている茎を挟むような一対の脱葉刃を有する二股状ブレードの基端側が柄の下端側に取付け支持可能で、しかも一対の脱葉刃の刃先が使用時に下向きになっているので、請求項１の場合と同様に、柄の押し下げ操作によって、茎の地面寄りの下端まで楽に脱葉でき、加えて、二股状ブレードの基端側を前記柄に対し着脱することによって、二股状ブレードを１８０反転させて刃先を上向きにすることができる。その結果、上下逆さにして、柄を下向きにして使用すると、在来の脱葉鎌と全く同様に、柄の上端に脱葉刃が付いた状態となるので、茎の高い位置の脱葉が可能となる。
また、二股状ブレードを９０度回動させて柄と同じ向きに揃えると一直線状になるので、柄を水平に持てば、林立したサトウキビの奥まった位置まで脱葉刃を伸ばして、奥まった位置のサトウキビを脱葉することもできる。しかも、柄が下降操作の邪魔にならないので、生育初期の低い茎の地面近くまで脱葉できる。
さらに、二股状ブレードが安定するように各位置でロックする固定手段を有しているので、作業性がし易い。
【００１５】
請求項４のように、請求項２、請求項３に記載の固定手段は、柄の下端側と二股状ブレードの取付け鈑部に留め具の挿入孔を開けて、それぞれの位置で、留め具を挿入する構造であるから、二股状ブレードを安定よく固定でき、脱葉作業時に二股状ブレードがガタついたりして、円滑な作業を阻害するような恐れはない。
【図面の簡単な説明】
【００１６】
【図１】本考案による固定式脱葉鎌の要部斜視図である。
【図２】図１の脱葉鎌の底面図である。
【図３】本考案による回動式脱葉鎌の部分断面側面図である。
【図４】本考案による着脱式脱葉鎌の部分断面側面図である。
【考案を実施するための形態】
【００１７】
次に本考案による脱葉鎌が実際上どのように具体化されるか実施形態を詳述する。図１は本考案による固定式脱葉鎌の要部斜視図であり、通常木製の柄Ｈの下端に、二股状ブレードＣが取付け固定されている。
二股状ブレードＣは、一対の脱葉刃（ブレード）１、２の基端同士を連結して一体化することによって、例えばＵ字状やＶ字状、Ｙ字状などの二股状に形成してある。そして、一体化部３の背部から伸びた首部４と一体に上向きＬ字状の固定鈑５が形成されている。
図２のように、木製の柄Ｈの下端に、Ｌ字状固定鈑５の板厚ｔとほぼ同じ寸法の隙間Ｇを形成して、その中にＬ字状固定鈑５を挿入し、挟んだ状態において、柄ＨとＬ字状固定鈑５双方に複数のピン孔を開けて、釘やピン、ボルトナットなどの留め具６、７を挿入し固定してある。両脱葉刃１、２の下端と両脱葉刃１〜２の連結部３の下端が刃ｅになっているが、茎８の切断用ではないので、鋭いエッジにする必要はない。
【００１８】
このように、手で握る柄Ｈの下端に二股状の脱葉刃Ｃを取付け固定してあり、両脱葉刃１、２の刃先ｅが下向きになっているので、立っているサトウキビの茎８を両ブレード１、２の間に挟むように位置決めしてから、柄Ｈによって二股状ブレードＣを押し下げると、下葉９の根元が強引に、茎８から剥離ないし切り離され、脱葉される。
従来の脱葉鎌は、柄Ｈの上端に二股状ブレードＣが着いているので、生育初期の低い茎の場合は、柄Ｈの下端が地面に当たるため、二股状ブレードＣを下降させることが出来ないが、本考案の場合は柄Ｈが上向きになっているので、二股状ブレードＣが地面に接するまで下降可能であり、低い茎でも下端の根元まで確実かつ容易に脱葉できる。
【００１９】
図１、図２は、二股状ブレードＣが固定構造であるが、二股状ブレードＣの向きを変更可能だと、便利なことが多い。図３の場合は、二股状ブレードＣ１の首部４を介して一体化した取付け鈑部４１を、柄Ｈの下端にボルトなどの支軸１０で、矢印ａ１方向に回動可能に取付け支持してある。ただし、刃先ｅを下向きにして使用する際に二股状ブレードＣ１が回動したりガタついたりしないように、例えばテーパ状のピン１１、１２を挿入して、先端に蝶ナットなどを嵌めて締め付け固定するのがよい。間隙Ｇを鎖線ｇまで深く形成した状態にすれば、通常のボルトナットで締め着けて、二股状ブレードＣ１の取付け鈑部４１を強く挟み着けてロックすることもできる。従って、柄Ｈの下端と二股状ブレードＣ１の取付け鈑部４１の双方に、ピンなどの留め具１１、１２、１１’、１２’の挿入孔を予め開けてあることは、言うまでもない。
こうして確実に固定しておけば、図１、図２の固定式の二股状ブレードＣと同様に、サトウキビの根元まで確実に脱葉できる。
【００２０】
次に、ピン１１、１２を抜いて、支軸１０を中心にして二股状ブレードＣ１を１８０度回動させて鎖線Ｃ２位置まで反転させた状態で、再度ピン１１、１２を挿入してロック状態にすれば、刃先ｅを上向きにできる。従って、柄Ｈを上下反転させると、従来の脱葉鎌と同様に、柄Ｈの上端に、刃先ｅが下向きの二股状ブレードを設けた構成となり、茎の高い位置の脱葉が可能となる。
【００２１】
ピン１１、１２を抜いて、破線Ｃ３で示すように、二股状ブレードＣ３が柄Ｈと同じ向きになるように位置決めしてから、ピン１１、１２間の９０度位置に破線のピン１１’、１２’を挿入し、固定することもできる。その結果、二股状ブレードＣ３と柄Ｈとが一直線状となるのに対し、鎖線Ｃ２と実線の二股状ブレードＣ１は、柄Ｈに対しほぼ直角の状態となる。
このように、柄Ｈと真っ直ぐの二股状ブレードＣ３は、柄Ｈを水平状態に持つと、二股状ブレードＣ３を遠くまで伸ばせるので、サトウキビが林立している際に、奥まった位置まて二股状ブレードＣ３を伸ばして、脱葉できる。しかも、二股状ブレードＣ３を押し下げる際に柄Ｈが邪魔になることは無いので、地面寄りの根元まで脱葉できる。
【００２２】
図３は二股状ブレードがＣ１、Ｃ２、Ｃ３のように矢印ａ１方向に回動して方向変換するのに対し、図４は二股状ブレードＣ１を着脱して、方向変換する構造である。従って、図３の支軸１０は無く、柄Ｈの下端と二股状ブレードＣ１の取付け鈑部４２の双方に、ピンなどの留め具１１、１２、１１’、１２’を挿入できる貫通孔を開けて、その中にピン１１、１２を挿入することによって、実線のように、柄Ｈに対し直角方向に脱葉刃Ｃ１を取付け固定してある。
その結果、図１、図２の場合と同様に、柄Ｈの下端に、刃先ｅを下向きにして二股状ブレードＣ１を固定した状態となり、柄Ｈを押し下げて、茎の根元まで脱葉できる。
【００２３】
これに対し、ピン１１、１２を一旦抜いて、二股状ブレードＣ１を１８０度回動して反転させてからピン１１、１２を挿入すると、鎖線Ｃ２のように、柄Ｈの下端に、刃先ｅを上向きに取付け固定できるので、柄Ｈを上下反転させると、従来の脱葉鎌と同様に、柄Ｈの上端に、刃先ｅを下向きに設けた構成となるので、高い位置の葉を脱葉するのに好適である。
ピン１１、１２を一旦抜いて、破線の二股状ブレードＣ３のように柄Ｈと一直線状に方向変換してから  ピン１１、１２間の９０度位置に破線のピンやボルトナットなどの留め具１１’、１２’を挿入し固定すると、柄Ｈを水平に持って、林立するサトウキビの奥まで二股状ブレードＣ３を伸ばして、奥まった位置の脱葉が可能となる。
【００２４】
図示のように、ピンやボルトナットなどの留め具１１、１２は、二股状ブレードＣ１の取付け鈑部４２における対角線方向に、しかも回動中心からより遠い部位に設けると、より安定良く二股状ブレードを固定できる。
サトウキビの茎８を刈り取る場合に比べて、下葉９の脱葉は小さな力で足りるので、図３、図４の各位置（３位置）における二股状ブレードのロックは、必ずしも強固である必要性は少ないが、強固にしたい場合は、柄Ｈの二股状ブレード取付け部のサイズを大きめにしてピンやボルトナットなどの留め具１１〜１２の間隔を増大したり、木質を金属製にしたり、木製柄Ｈの場合は、ピンや釘、ボルトなどの留め具の挿通部に金属製のスリーブ（筒体）を挿入固定しておいて、耐磨耗性を高めておくのがよい。
なお、柄Ｈの全長は通常の草刈り鎌と同程度でも良いが、奥まった位置の下葉を脱葉する場合は、１ｍ程度まで伸ばして長めにするのが良い。
【産業上の利用可能性】
【００２５】
以上のように、本考案によると、柄Ｈの下端に、刃先ｅを下向きに二股状ブレードＣを取付け固定してあるので、サトウキビの茎の下端まで確実に脱葉できる。また、二股状ブレードの方向変換が可能なため、従来の脱葉鎌と同様に高い位置の脱葉を可能にしたり、二股状ブレードを柄Ｈと同じ方向に伸ばすことによって、林立するサトウキビの奥まで二股状ブレードを伸ばして脱葉することも可能となり、各種の脱葉作業に兼用でき、作業性が向上する。
【符号の説明】
【００２６】
Ｃ・Ｃ１・Ｃ２・Ｃ３  二股状ブレード
１・２  一対の脱葉刃
３  一体化部
４  首部
５  上向きＬ字状の固定鈑
Ｈ  柄
６・７  ピン、釘又はボルトナットなどの留め具
８  サトウキビの茎
９  下葉
１０  支軸
１１・１２  ピン、釘又はボルトナットなどの留め具
４１・４２  取付け鈑部
ｅ  刃先
【図１】
0003157466.tif 000003
【図２】
0003157466.tif 000004
【図３】
0003157466.tif 000005
【図４】
0003157466.tif 000006